(57)【要約】【課題】写真処理装置における印画紙と補充液の適合性を管理する。【解決手段】印画紙容器１２ａ，１２ｂと補充液容器１５ａ，１５ｂとにＩＣメモリユニット１７を取り付ける。それぞれのＩＣメモリユニット１７にバージョン情報を書き込む。書き込まれているバージョン情報を装着部に設けられた情報読取器１８ａ〜１８ｄで読み取る。読み取ったバージョン情報の組み合わせからテーブル８６に予め格納されている処理条件処方と照合し、適合しているか否かを判定する。適合しているときには、現像処理部１４の搬送速度と処理温度を処理条件処方になるように制御して最適条件にする。不適合のときには、警報部８２を作動させる。不適合の組み合わせによる処理が行われることがなくなる。【選択図】　　　　図３
2004093692.tif 000002
【特許請求の範囲】
【請求項１】
印画紙情報を保持するＩＣメモリチップを取り付けた印画紙容器と、
補充液情報を保持するＩＣメモリチップを取り付けた補充液容器と、
印画紙装着位置に装着された前記印画紙容器と補充液装着位置に装着された前記補充液容器の前記それぞれのＩＣメモリチップから印画紙情報および補充液情報を読み出す情報読み出し手段と、
前記印画紙容器のＩＣメモリチップから読み出した印画紙情報と前記補充液容器のＩＣメモリチップから読み出した補充液情報との組み合わせ情報から、処理条件設定変更で使用可能か否かの判断をする使用可否決定手段と、
前記使用可否決定手段が可能の決定をした条件に基づいて処理条件を変更する処理条件制御手段とを備えたことを特徴とする写真処理装置の印画紙と補充液との管理システム。
【請求項２】
前記使用可否決定手段が不可能と判断をしたときにアラームを出す警報手段を備えることを特徴とする請求項１記載の写真処理装置の印画紙と補充液との管理システム。
【請求項３】
印画紙情報を保持するＩＣメモリチップを取り付けた印画紙容器と、
補充液情報を保持するＩＣメモリチップを取り付けた補充液容器と、
印画紙装着位置に装着された前記印画紙容器と補充液装着位置に装着された前記補充液容器の前記それぞれのＩＣメモリチップから印画紙情報および補充液情報を読み出す情報読み出し手段と、
前記印画紙容器のＩＣメモリチップから読み出した印画紙情報と前記補充液容器のＩＣメモリチップから読み出した補充液情報との組み合わせ情報から、処理条件設定変更で使用可能か否かの判断をする使用可否決定手段と、
前記使用可否決定手段が不可能と判断をしたときにアラームを出す警報手段を備えることを特徴とする写真処理装置の印画紙と補充液との管理システム。
【請求項４】
前記印画紙情報は、印画紙のバージョンアップを識別する印画紙バージョン情報であり、前記処理液情報は、処理液の処方バージョンアップを識別する処理液処方バージョン情報であることを特徴とする請求項１ないし３いずれか一つ記載の写真処理装置の印画紙と補充液との管理システム。
【発明の詳細な説明】
【０００１】
【発明の属する技術分野】
本発明は写真処理装置の印画紙と補充液との管理システムに関するものである。
【０００２】
【従来の技術】
【特許文献１】
特開平８−２７２０６４号公報
【０００３】
例えば特許文献１に示されるように、ミニラボ等の写真処理装置においては、印画紙の種類とこの印画紙を処理する処理液の種類とは密接な関係にあり、決まった組み合わせで用いられている。そして、処理液の補充も母液に対する決まった補充液を補充するというものであった。このため、補充液交換ミスが起こることはなかった。
【０００４】
より適切な印画紙と処理液処方が開発される過程では、新バージョンの印画紙は旧バージョンの処理液処方で処理できる範囲での変更がなされ、旧バージョンの印画紙と新バージョンの印画紙を混在で使い続けられるようにしておく。そして新バージョンの処理液処方が出現すると、新バージョンの処理液処方は新バージョンの印画紙を処理するときと、旧バージョンの印画紙を処理するときとでは、処理条件を変更する必要はあるが、新旧双方のバージョンの印画紙を処理できることが望ましい。
【０００５】
新バージョンに移行してしばらくすると、再び前述の過程を辿って印画紙と処理液処方を更に新バージョンへとアップさせて行くことが行われる。このようにして、写真処理装置が市場で稼働する寿命中に、数回に亘る印画紙と処理液処方のバージョンアップは交互に混在で行われていく。
【０００６】
しかし、このバージョンアップが頻繁に行われるようになると、より世代の古いバージョンとより世代の新しいバージョンとの間での組み合わせや、目的別の変わり種のバージョンとの組み合わせの中には、処理条件の変更だけでは対応がとれないケースもある。また、写真処理装置の型式によっても対応できないバージョンも生じてくる。
【０００７】
新バージョンの処理液処方が普及する過程では、旧バージョンの処理液処方の母液が入った儘の処理槽へ、整合性のとれないような新バージョンの補充液を補充してしまうミスが生ずる。またこれとは逆に、新バージョンの処理液処方の母液に切替えた処理槽へ旧バージョンの補充液を補充してしまうミスも生じる。一方、旧バージョンの処理液処方の母液が処理槽に入っている儘でも、新バージョンの補充液の補充量を変更しながら補充すれば使用することができる場合もある。
【０００８】
【発明が解決しようとする課題】
このように、印画紙と処理液処方がバージョンアップされて行く場合に、写真処理装置に用いられようとする印画紙と補充液処方とのバージョン情報の組み合わせを確認する必要がある。また、確認した印画紙と補充液処方とのバージョン情報の組み合わせから、写真処理装置での処理液の温度、処理槽内での印画紙の搬送速度、補充量等の制御設定を変更することで対応可能か不可能かを判断する必要がある。これらの判断をオペレータが行うと確認ミスなどによって、印画紙と処理液処方とが適合しない状態でセットされてしまうことがあり、プリント不良などが発生するおそれがある。
【０００９】
本発明は上記課題を解決するためのものであり、印画紙や補充液の交換の際に、セットされた印画紙や補充液が互いに適合しているか否かを簡単に判定し、これらのセットミスを未然に防止するようにした写真処理装置の印画紙と補充液との管理システムを提供することを目的とする。
【００１０】
【課題を解決するための手段】
上記目的を達成するために、請求項１記載の発明では、印画紙情報を保持するＩＣメモリチップを取り付けた印画紙容器と、補充液情報を保持するＩＣメモリチップを取り付けた補充液容器と、印画紙装着位置に装着された前記印画紙容器と補充液装着位置に装着された前記補充液容器の前記それぞれのＩＣメモリチップから印画紙情報および補充液情報を読み出す情報読み出し手段と、前記印画紙容器のＩＣメモリチップから読み出した印画紙情報と前記補充液容器のＩＣメモリチップから読み出した補充液情報との組み合わせ情報から、処理条件設定変更で使用可能か否かの判断をする使用可否決定手段と、前記使用可否決定手段が可能の決定をした条件に基づいて処理条件を変更する処理条件制御手段とを備えている。なお、前記使用可否決定手段が不可能と判断をしたときにアラームを出す警報手段を備えることが好ましい。
【００１１】
また、請求項３記載の発明では、印画紙情報を保持するＩＣメモリチップを取り付けた印画紙容器と、補充液情報を保持するＩＣメモリチップを取り付けた補充液容器と、印画紙装着位置に装着された前記印画紙容器と補充液装着位置に装着された前記補充液容器の前記それぞれのＩＣメモリチップから印画紙情報および補充液情報を読み出す情報読み出し手段と、前記印画紙容器のＩＣメモリチップから読み出した印画紙情報と前記補充液容器のＩＣメモリチップから読み出した補充液情報との組み合わせ情報から、処理条件設定変更で使用可能か否かの判断をする使用可否決定手段と、前記使用可否決定手段が不可能と判断をしたときにアラームを出す警報手段を備えている。
【００１２】
なお、前記印画紙情報は、印画紙のバージョンアップを識別する印画紙バージョン情報であり、前記処理液情報は、処理液の処方バージョンアップを識別する処理液処方バージョン情報であることが好ましい。
【００１３】
【発明の実施の形態】
図１は、本発明をミニラボの出力機としての写真処理装置に実施したＩＣメモリユニットと情報読取り器との関係の概略を示す正面図である。写真処理装置１０のプリント部１１には、ペーパーマガジン等の印画紙容器１２ａ、１２ｂが印画紙容器装着部１３ａ、１３ｂに装着されるようになっている。現像処理部１４には、栓付ボトル等の補充液容器１５ａ，１５ｂが補充液容器装着部１６ａ，１６ｂに装着されるようになっている。印画紙容器１２ａ、１２ｂおよび補充液容器１５ａ，１５ｂにはＩＣメモリユニット１７が取り付けられている。また、印画紙容器装着部１３ａ、１３ｂおよび補充液容器装着部１６ａ，１６ｂには情報読取器１８ａ，１８ｂ，１８ｃ，１８ｄが設けられている。
【００１４】
図２は、上記ＩＣメモリユニット１７の概略構造を示す正面図である。ＩＣメモリユニット１７は基板１７ａ上に設けられた通信回路１９、電源回路２０、ＩＣメモリチップ２１、コントローラ２２からなっている。通信回路１９は、情報読取器１８ａ側の情報通信手段２３から非接触で情報の読み出しをするための通信アンテナコイル２４を含む。電源回路２０は、情報通信手段２３から非接触で電源を得るための受電アンテナコイル２５とコンデンサ２６を含む。ＩＣメモリチップ２１は、書き換えが可能な不揮発性のＩＣメモリである。コントローラ２２は、前記通信回路１９を介して前記ＩＣメモリチップ２１の情報読み出しを制御する。
【００１５】
通信アンテナコイル２４は、情報読取器１８ａの情報通信手段２３とアンテナコイル２３ａを介して電磁気結合され、情報通信手段２３と通信回路１９との間でデータの授受を行う。受電アンテナコイル２５は、同様に情報通信手段２３のアンテナコイル２３ｂを介して電磁気結合され、情報通信手段２３から電力の供給を受ける。この供給された電力はコンデンサ２６に蓄えられ、ＩＣメモリユニット１７内の各回路を駆動するための電源として利用される。通信回路１９は、情報通信手段２３との間でデータの授受を行い、印画紙や処理液処方のバージョン等の情報を得て、これをコントローラ２２に出力する。コントローラ２２ではＩＣメモリチップ２１にこれらバージョン情報を記憶する。また、コントローラ２２によりＩＣメモリチップ２１からバージョン情報を読み出すことも行われ、この読み出したバージョン情報は通信回路１９を介して情報通信手段２３にデータ転送される。
【００１６】
図３は、本発明を実施した写真処理装置の要部を示す正面図である。マガジン等の印画紙容器１２ａ、１２ｂ内には、長尺印画紙３０がロール状に巻き取られて装填されている。印画紙容器１２ａ、１２ｂにはＩＣメモリユニット１７が貼り付けられている。ＩＣメモリユニット１７のＩＣメモリチップ２１には印画紙３０の種類とともに印画紙バージョン情報や使用期限等が書き込まれている。プリント部１１でのＩＣメモリユニット１７に対応する位置には、情報通信手段２３を含む情報読取器１８ａ，１８ｂが設けられている。そして、情報読取り器１８ａ，１８ｂはＩＣメモリチップ２１から印画紙種類、バージョン、使用期限等の印画紙情報を非接触で読み取る。
【００１７】
印画紙容器１２ａ、１２ｂの出口には、印画紙を送り出す送り出しローラ２７が設けられている。送り出しローラ２７は、画像記録部２８へ送られるのと同じ画像サイズ情報に基づいた送り出し量にするように制御されて作動する。送り出された印画紙は設定された所定の長さにカッタ２９で切断されて、シート状の印画紙３０ａとなってから画像記録部２８へ送られる。なお、符号３４は、シート状の印画紙３０ａの搬送路を示している。
【００１８】
画像記録部２８は、印画紙３０ａを搬送させる副走査搬送手段３１と、この副走査搬送に同期させて印画紙３０ａへレーザ光によって主走査露光を行う露光手段３２と、画像データ処理手段３３とを備えている。副走査搬送手段３１は、露光位置を挟むように配置された搬送ローラ対によって印画紙３０ａを搬送する。
【００１９】
画像データ処理手段３３には、画像入力機等で外部から画像データが供給される。画像データ処理手段３３では、入力された画像データに対して、キャリブレーションによる補正テーブルでの処理等の所定のデータ処理を行う。そして、データ処理された画像データに応じて露光手段３２の変調器を介して光ビームを変調し、この光ビームにより印画紙３０ａを露光する。これにより、印画紙３０ａには画像データに基づき画像が潜像記録される。そして、露光済みの印画紙３０ａは乳剤面を上側に支持体を下側にして現像処理部１４に搬送される。
【００２０】
現像処理部１４は、発色現像槽４１、漂白定着槽４２、第１水洗槽４３、第２水洗槽４４、第３水洗槽４５、第４水洗槽４６を備えている。
【００２１】
発色現像槽４１及び漂白定着槽４２には、それぞれ循環ポンプ４７と温調器４８とが設けられている。循環ポンプ４７は各槽内の処理液を循環させて攪拌する。温調器４８は加温器４９及びラジエータ５０を備えている。加温器４９及びラジエータ５０は循環ポンプ４７による循環経路５１内に配置されており、処理液温度を調節する。この温調器４８はコントローラ６０により制御される。なお、ラジエータ５０は省略して加温器４９のみにより温度を調節してもよい。
【００２２】
発色現像槽４１には、ポンプ５５を介して発色現像補充液容器１５ａが接続されており、発色現像補充液が供給される。同様にして、漂白定着槽４２には漂白定着補充容器１５ｂが接続されており、ポンプ５７を介して漂白定着補充液が供給される。発色現像補充液容器１５ａ及び漂白定着補充液容器１５ｂには、ＩＣメモリユニット１７が取り付けられている。これらの容器を装着する現像部の各ＩＣメモリユニット１７に対応する位置には、情報通信手段２３を含む情報読取器１８ｃ，１８ｄが設けられている。そして、情報通信手段２３を含む情報読取器１８ｃ，１８ｄは、ＩＣメモリチップ２１に書き込まれている情報を非接触で読み取る。ポンプ５５、５７は吐出量が一定となる定量ポンプから構成されている。そして、コントローラ６０による所定時間内におけるポンプ作動時間の変更によって、補充液の補充量が変えられる。
【００２３】
第４水洗槽４６には水洗補充水容器６１からポンプ６２を介して水洗処理水が補充される。そして、水洗処理水の補充による増加分は、第４水洗槽４６から第３水洗槽４５へ、第３水洗槽４５から第２水洗槽４４へ、さらに、第２水洗槽４４から第１水洗槽４３へと、順次搬送方向上流側の水洗槽へとカスケード方式で順次にオーバーフローする。これにより各水洗槽へ水洗処理水が補充される。
【００２４】
発色現像槽４１、漂白定着槽４２、各水洗槽４３、４４、４５、４６にはそれぞれ印画紙３０ａを搬送する搬送ラック６３、６４が装填されている。これらの搬送ラック６３、６４は搬送ローラ６５を備えており、それぞれの搬送ラック６３、６４の駆動軸は共通の回転駆動軸６６に係合していて、各搬送ローラ６５が回転する。共通の回転駆動軸６６は、変速手段６７を介して駆動モータ６８により回転される。そして、変速手段６７および駆動モータ６８はコントローラ６０によって制御されている。
【００２５】
各槽４１〜４６との間にはクロスオーバーラック７１が設けられている。クロスオーバーラック７１は搬送ローラ７２を備えており、印画紙を次ぎの槽へ受け渡す。これらのクロスオーバーラック７１も、共通の回転駆動軸６６に係合して搬送ローラ７２が回転するように構成されている。
【００２６】
第４水洗槽４６の上方には、この第４水洗槽４６からの印画紙３０ａを乾燥する乾燥部７３が設けられている。この乾燥部７３にはスクイズローラ７４を介して印画紙３０ａが送られる。乾燥部７３は、搬送ベルト７５と乾燥風循環手段７６とを備えている。搬送ベルト７５は網状に構成されており、搬送路に沿って設けられている。乾燥風循環手段７６は、ヒータ、ダクト、送風機、スリット板７８等を備えている。スリット板７８からは搬送路に向けて乾燥風を吹出し、この吹出した乾燥風をダクトを介して循環させる。ダクトには新鮮風取り入れ口が設けられており、この取り入れ口により新鮮な空気がダクト内に取り入れられる。また、ダクトにはヒータが設けられており、ヒータにより循環空気が設定温度に加熱される。これにより、スリット板７８から乾燥風を印画紙３０ａに吹き付けて、印画紙３０ａを搬送ベルト７５に押しつけた状態で乾燥する。この乾燥部７３における乾燥風の温度、風量、新鮮風取り入れ量などはコントローラ６０により制御される。乾燥部７３の側方には、乾燥処理されて仕上がった印画紙３０ａを集積する集積部７９が設けられている。
【００２７】
コントローラ６０はディスプレイ８０、操作部８１、警報部８２などを備えており、各部をシーケンス制御する。さらには、印画紙の種類やバージョン、処理液の種類やバージョンに応じてプリント部１１、現像処理部１４、乾燥部７３の処理速度等の処理条件を変更し、最適な処理条件となるように条件設定を行う。このため、コントローラ６０内のメモリ８５には、図４に示すように、予め印画紙の種類やバージョン毎に、また処理液の種類やバージョン毎に、組み合わせを含めて、各部の処理条件を処方したテーブル８６が記憶されている。このテーブル８６は、適宜に追加や書き換えが可能になっており、新たな印画紙や処理液処方が提供され、バージョンアップされた場合には、そのバージョンアップに対する組み合わせの処理条件の処方が追加される。
【００２８】
テーブル８６には、バージョン１の印画紙、バージョン２の印画紙、バージョン３の印画紙、バージョン１の補充液、バージョン２の補充液、バージョン３の補充液についての組み合わせによる液温度の高・低の程度、搬送速度の高・低の程度、印画紙処理量当たりの補充液量の多・少の程度、の制御情報が格納されている。また、処理槽の母液が旧バージョン処理液処方の母液か新バージョン処理液処方の母液かの情報と補充液のバージョン情報とでの整合性情報も格納されている。
【００２９】
そしてコントローラ６０は、旧バージョンの処理液処方の母液が処理槽に入っているときには、旧バージョン処方の補充液には可能、新バージョン処方の補充液には否の決定をする。新バージョンの処理液処方の母液が処理槽に入っているときには、旧バージョン処方の補充液には否、新バージョン処方の補充液には可能の決定をする。しかし、この組み合わせが、旧バージョンと新バージョンとでも整合性がある場合には可能の決定をする。
【００３０】
図４の表に示すように、印画紙のバージョンと補充液のバージョンの組み合わせＡでは、テーブル８６から印画紙の搬送速度Ｖｐ１と、処理液温度Ｔｐ１と、処理液補充量Ｑｐ１が読み出される。また、組み合わせＢでは、テーブル８６から印画紙の搬送速度Ｖｐ２と、処理液温度Ｔｐ２と、処理液補充量Ｑｐ２とが読み出され、組み合わせＣでは、印画紙の搬送速度Ｖｐ３と、処理液温度Ｔｐ３と、処理液補充量Ｑｐ３が読み出される。そして、組み合わせＤでは、整合性がとれないので条件が格納されておらず不可能の決定をする。また、処理槽内の母液バージョンとの整合性も読み出される。
【００３１】
印画紙のバージョンと補充液のバージョンとの整合性のとれた組み合わせＡ、Ｂ、Ｃに応じて、プリント部１１、現像処理部１４、乾燥部７３の各条件の処方がテーブルに格納されている。組み合わせＤは不可能であり、この場合には該当するエリアには何も格納されていない。したがって、装着された印画紙のバージョンと補充液のバージョンが読み出されたときに、テーブルに基づきこれらの組み合わせでの整合性の可否決定、あるいは処理槽の母液のバージョンと補充液のバージョンの整合性での可否決定をする。そして、組み合わせＡ、Ｂ、Ｃに対する処理条件に各部がコントローラ６０により制御されて各部がセットされる。
【００３２】
各部の設定条件は、基本的には現像処理部１４における搬送速度および処理液温度が中心になる。そして、この搬送速度および処理液温度を決定した後に、これに対応して各部が効率よく作動するように、プリント部１１、乾燥部７３の設定条件を決定する。乾燥部７３の搬送速度Ｖｄ１、Ｖｄ２、Ｖｄ３は、主に現像処理部１４での印画紙３０ａの搬送速度で決まってくる。そして、乾燥温度Ｔｄ１、Ｔｄ２、Ｔｄ３、および乾燥風量Ｑｄ１、Ｑｄ２、Ｑｄ３は、乾燥部７３の搬送速度と印画紙３０ａのバージョンで決まってくる。
【００３３】
本実施形態の作用について図５のフローチャートを参照して説明する。図５は、コントローラ６０による制御の様子を示す。印画紙容器１２ａ、１２ｂがプリント部１１にセットされると装着状態の確認を行う。情報読取器１８ａ、１８ｂは情報通信手段２３を介して印画紙容器１２ａ、１２ｂのＩＣメモリチップ２１から印画紙バージョン情報を読み出す。現像処理部１４に補充液容器１５ａ，１５ｂがセットされると装着状態の確認を行う。情報読取器１８ｃ，１８ｄは情報通信手段２３を介して、補充液容器１５ａ，１５ｂのＩＣメモリチップ２１から補充液処方バージョン情報を読み出す。また、処理槽内の母液バージョン情報の確認も行う。
【００３４】
印画紙バージョン、補充液処方バージョン、母液バージョンを確認してからテーブル８６を見に行く。組み合わせでの処理条件が母液バージョンも加味して、整合性が可能な範囲で対応する条件の処方が格納されているので、各調節手段を各値に設定する。例えば、温調器４８、変速手段６７、乾燥部７３の設定をテーブル８６の条件に変更する。また、ポンプ作動時間の設定をテーブル８６の条件に変更する。さらに、読み取られたバージョン情報および設定された処理条件処方をディスプレイ８０へ表示する。また、整合性が否の場合には警報部８２を作動させ、ディスプレイ８０に不適合の表示をする。
【００３５】
なお、ＩＣメモリチップ２１からの情報の書き込み及び読み出しは、図２に示すように、ＩＣメモリユニット１７の形で、通信アンテナコイル２４および受電アンテナコイル２５を介して電磁気結合により無接触で行うことで、接点のトラブルがなくなる。また、ＩＣメモリユニット１７に位置確認用のアンテナコイル２４ａを設けておき、このアンテナコイル２４ａの位置を情報通信手段２３の側で確認することにより、印画紙容器や補充液容器の装着状況を確認してもよい。
【００３６】
図示していないが、母液のバージョン情報についても、母液容器にＩＣメモリユニットを貼付しておき、母液を現像処理部の処理槽へ投入する際に、母液容器に添付されたＩＣメモリユニットを写真処理装置の所定位置へ装着しておくことで、母液バージョンを読取器が読み取るようにしておくと便利である。また、母液容器にＩＣメモリユニットを貼付する代わりに、単にコントローラ６０内のメモリ８５に母液バージョンを記録しておいてもよい。
【００３７】
上記実施形態では、ＩＣメモリユニット１７において、電磁気結合方式でデータ通信したが、データ通信方法は上記の実施形態のものに限定されない。例えば無線方式、赤外線方式などの他の通信方式を採用してよい。また、非接触方式に代えて、接点式でデータ転送を行う方式としてもよい。
【００３８】
ＩＣメモリチップ２１に書き込む情報として上記実施形態ではバージョン情報としたが、この他に、自社製品と他社製品を区別するためのメーカー情報、期限切れ情報などを併せて記憶してもよい。
【００３９】
また、ＩＣメモリユニット１７に位置確認用のアンテナコイル２４ａ（図２参照）を設けてもよい。この場合には、情報通信手段２３によってＩＣメモリユニット１７の位置を確認する。そして、この位置確認によって補充液容器１５ａ，１５ｂが所定位置にセットされたか否かを確認し、この後に容器の栓を開くようにしてもよい。さらに、情報通信手段２３がＩＣメモリユニット１７の有無を検出することにより、ＩＣメモリユニット１７の無い容器を区別してもよい。
【００４０】
【発明の効果】
本発明によれば、印画紙容器と補充液容器にＩＣメモリチップを取り付けておき、これら容器が装着される位置に前記ＩＣメモリチップから印画紙情報及び補充液情報を読み出す情報読み出し手段を設け、これらＩＣメモリチップから読み出した印画紙情報と補充液情報との組み合わせ情報から、使用可否決定手段により処理条件設定変更で使用可能か否かの判断をし、使用可能なときに処理条件制御手段により処理条件を変更するようにしたから、印画紙と補充液とが適合する組み合わせか否かを自動的に判別することができる。また、使用不可能なときには、警報部によりアラームを発することにより、不適合な組み合わせで処理が行われることがなくなり、効率よく印画紙と補充液との適合性を管理することができる。とくに、印画紙情報を印画紙バージョン情報とし、処理液情報を処理液処方バージョン情報とすることにより、印画紙や処理液のバージョンアップに対して容易に自動的に対応可能になる。
【図面の簡単な説明】
【図１】本発明を実施した写真処理装置におけるＩＣメモリユニットと情報読取り器とを示す概略の正面図である。
【図２】ＩＣメモリユニットの概略構造を示す正面図である。
【図３】写真処理装置の概略を示す正面図である。
【図４】印画紙と補充液のバージョンの組み合わせと、このときの処理条件の一例を示すテーブルである。
【図５】本発明の処理手順を示すフローチャートである。
【符号の説明】
１０　写真処理装置
１１　プリント部
１２　印画紙容器
１３　印画紙容器装着部
１４　現像処理部
１５ａ，１５ｂ　補充液容器
１６ａ，１６ｂ　補充液容器装填部
１７　ＩＣメモリユニット
１８ａ〜１８ｄ　情報読取器
２１　ＩＣメモリチップ
２３　情報通信手段
４８　温調器
６０　コントローラ
６７　変速手段
８６　テーブル
【図１】
2004093692.tif 000003
【図２】
2004093692.tif 000004
【図３】
2004093692.tif 000005
【図４】
2004093692.tif 000006
【図５】
2004093692.tif 000007